(57)【要約】      （修正有）【課題】成長の速いアサを用いて、バイオマス燃料とする方法の提供。【解決手段】麻薬性が低い“とちぎしろ”として種苗登録されたアサを開花する前の早生に刈り取り、天日干しした極限無毒化アサと、早生棉ペレットよりなるバイオマス燃料。【効果】“とちぎしろ”は無毒アサ又は無毒大麻と呼ばれ、更に麻の茎にはテトラヒドロンカンナビノール（ＴＨＣ）は殆んど含まれず、葉にもそれ程多くは含まれていない。麻の花房にはＴＨＣは多く含まれている。しかし、ＴＨＣは熱と光と空気と水に弱く、天日干しすると可成り分解される。【選択図】図２
2019001852.tif 000002
【特許請求の範囲】
【請求項１】
バイオマス発電用のバイオマス燃料において、
“とちぎしろ”が開花する前の早生に刈り取って天日干しした極限無毒化アサと早生棉ペレットからなることを特徴とするバイオマス燃料。
【請求項２】
請求項１のバイオマス燃料を燃焼させるバイオマス燃焼ボイラは、上下端閉で円筒形状のボイラ円筒（１）に接続されたる燃料供給装置と酸素富化空気送風装置及び、前記ボイラ円筒（１）内底部に固定されたる灰受皿支持柱（８１）に置かれたる燃料堆積堆装置からなり、
燃料供給装置は、多数基の酸素富化空気装置（６１）と、多数基の送風機１（５１）と、多数本の送風管（５７）と、裁断草木片を投入するための多数基の燃料投入器（５０）と、多数本の散気管（５３）と、多数本の燃料投入管（５４）からなり、
燃料投入器（５０）は逆円錐形の容器であって、内側表面には多数枚の先導板（５６）が固着してなり、 
送風管（５７）の1端は送風機１（５１）に接続され、他端は先細ノズル（５２）に接続され、送風機１（５１）が酸素富化空気装置（６１）から吸引した酸素富化空気を先細ノズル（５２）から燃料投入器（５０）底部に放出し、
散気管（５３）は先太の管であって、上部は燃料投入器（５０）底部に接続され、下部は燃料投入管（５４）に接続され、燃料投入管（５４）出口はボイラ（１）内にあり、
酸素富化空気送風装置は、多数基の酸素富化空気装置（６１）と、多数基の送風機２（６２）と、多数本の酸素富化空気管（６３）からなり、
酸素富化空気管（６３）の半数は燃料投入管（５４）のボイラ円筒（１）側出口に向けられ、燃料投入器（５０）から負荷変動に応じて投入されたバイオマス燃料に酸素富化空気を送るためにあり、
酸素富化空気管（６３）の半数は後記灰受皿（７２）の堆積燃料（７３）に酸素富化空気を送るためにあり、
ボイラ円筒（１）内壁に沿い上部に開口のある内円筒（２１）と、大気中に伸びて上端に開口部のある外円筒（２３）と、両円筒を連結する連結管（２２）からなる煙道（２）を多数基敷設してなり、
復水器（３）に接続されたる多数本の給水管（４）は煙道（２）を通って多数本の蒸気管（５）に接続され、
燃料堆積装置は、灰受皿（７２）にバイオマス燃料を堆積燃料（７３）として堆積させてなり、
バイオマス燃料を燃焼させることにより発生した熱で、給水管（４）内を流れる水を蒸気に変換することを特徴とするバイオマス燃焼ボイラ。
【請求項３】
請求項１のバイオマス燃料植物の栽培システムであって、前記バイオマス燃料植物を栽培する灌水地（１０１）及び、前記灌水地（１０１）境界に接した穀物実験圃（１２０）及び、前記灌水地（１０１）周囲に敷設せる車道（１０２）及び、給水装置からなり、
給水装置は、上記車道（１０２）に走行せる給水タンク車（１１１）及び、前記給水タンク車（１１１）に接続せる給水ホース（１１２）及び、前記給水ホース（１１２）先端に接続せる放水銃（１１５）及び、前記放水銃（１１５）を敷設したドローン２（１１４）からなり、
灌水地（１０１）地表に灌水地気象測定機器・測定値保存送信機器（１０３）を敷設し、灌水地（１０１）地中に土壌化学的測定機器・測定値保存送信機器（１０４）を敷設してなり、
穀物実験圃（１２０）は、非透水性上面開函（１２１）の中に灌水地（１０１）の土壌を投入し異種の穀物を栽培してなり、各穀物実験圃（１２０）地中に土壌化学的測定値機器・測定値存送信機器（１０４）を敷設してなり、
当該各穀物実験圃（１２０）の生育状況をモニタし無線送信保存し続けることを特徴とする穀物畑転用を可能とするバイオマス燃料栽培システム。
【発明の詳細な説明】
【技術分野】
【０００１】
本発明はバイオマス燃料及びバイオマス燃焼ボイラに係わる。
【背景技術】
【０００２】
バイオマスとは、生態学で特定の時点においてある空間に存在する生物の量を、物質の量として表現したものである。通常、質量で数値化する。植物生態学の場合には現存量とよばれることが多い。バイオマスを用いた燃料は、バイオマス燃料と呼ばれている。バイオマス燃料を燃焼させて発電するのがバイオマス発電である。
図1はバイオマス発電の概観図である。上下端閉で円筒形状のボイラ円筒（１）でバイオマス燃料を燃焼させる。燃焼ガスは煙道から大気中に放出される。
発電装置は、蒸気タービン（６）と、復水器（３）と、発電機（７）からなる。復水器（３）は空冷にすると安上がりである。
復水器（３）に接続されたる多数本の給水管（４）は煙道を通って、多数本の蒸気管（５）に接続される。給水管（４）を流れる水は煙道を通る間に暖められる。蒸気管（５）は、ボイラ円筒（１）内上部から蒸気タービン（６）に接続される。
石炭粉砕機（１２）で砕かれた石炭の微粒子は、ブレードファン（１１）によって空気と共に燃料・空気管（１３）を通ってボイラ円筒（１）に放出される。二次空気送風機（２１）と二次空気管（２２）からなる二次空気送風機によって、空気が石炭の微粒子に供給され石炭が激しく燃焼する。燃料・空気管（１３）の先には点火器が敷設している。
バイオマス燃料を燃焼させることにより発生した熱で、給水管（４）内を流れる水を蒸気に変換し、蒸気タービン（６）を回転させて発電機（７）を回転させることにより電気を発生させる。
【発明の開示】
【発明が解決しようとする課題】
【０００３】
炭酸ガス排出を抑制するためといって、石油の燃焼を抑制する動きがある。炭酸ガスを排出しない太陽光発電は有望であったが、敷設が増えるにつれて心配事が現れ出し、太陽光用半導体製造から撤退する所が出だした。特に、夜間や雨天時の電力を確保するためには、別途余分な太陽光発電施設や設置場所や蓄電池を用意しなければならないことが負担になる。
石油価格を高くしたい産油国や石油メジャーは、環境問題にかこつけて高価な再生可能燃料を使った発電を推奨（有識者に発言させる）してくる。石油価格は、再生可能燃料を使った発電よりも若干廉価な発電価格になるような値に設定できる。
そうかといって、石油流通の停止という事態が生じることも心配しなければならないから、再生可能燃料は捨てがたい。
そこで、太陽光発電に代わって、再生可能な燃料を使ったバイオマス発電が重要になる。
再生可能な燃料として間伐材が有望ではあるが、発電コストが高くなる。その主な原因は、間伐材が山奥で発生すること、嵩張る（低密度）こと、水分を多量に含有することによる輸送費が嵩むことにある。水分に関しては伐採現地で乾燥できれば重量減になるが、斜面凸凹現地で乾燥させるのが技術的に困難である。
【課題を解決するための手段】
【０００４】
手段1はバイオマス発電用のバイオマス燃料において、“とちぎしろ”が開花する前の早生に刈り取って天日干しした極限無毒化アサと早生棉ペレットからなることを特徴とするバイオマス燃料である。
極限無毒化アサと綿花を混合しただけでもよい。“とちぎしろ”の代わりにヘンプでもよい。“とちぎしろ”の代わりに天日干し牧草や藁でもよい。
LNGの輸入が停止した場合は、大雨の時に山林地表を爆破して（石炭掘削では、炭化した木材である石炭層を発破で粉砕）、地滑りにより川を伝って湾に流出した材木を収集して燃料とする。
【０００５】
アサは、1年生の草木である。繊維型のアサは、人間が摂取すると陶酔するTHC（テトラヒドロカンナビノール）含有量が0.2wt%~0.3w%程度である。麻またはヘンプと呼ぶことが多い。薬用型のアサは、THC含有量が2wt%~2.5w%程度である。大麻と呼ぶことが多い。
麻の茎にはTHCが殆ど含まれていない。麻の葉にはTHCが含まれているがそれほど多くない。麻の花房にはTHCが多く含まれている。THCは熱と光と空気と水に弱い。したがって、THCは天日干しするとかなり分解される。
“とちぎしろ”として種苗登録されたアサは、無毒アサまたは無毒大麻とよばれている。
上述のことから、“とちぎしろ”が開花する前の早生“とちぎしろ”を早朝に刈り取り天日干しした極限無毒化アサはTHCを殆ど含有しない。朝から夕暮れまで1日天日干しすれば熱、光、空気によりTHCは可成り分解される。2日以上天日干しすれば分解は更に進む。
早生であれば1年に２〜３回の収穫が望める。
“とちぎしろ”については、ドローンで監視し続ければ安全性が高まろう。
天日干しした“とちぎしろ”やヘンプを海外で栽培して輸入すれば、1年を通した発電が可能である。
“とちぎしろ”やヘンプは、比較的開けた土地（例えば休耕田）で栽培するから、農業機械による植え付けや刈り取りが容易で、低コストで生育が可能である。余剰米を栽培したり、休耕田にしたりするくらいなら“とちぎしろ”やヘンプを栽培したほうが、土地と太陽エネルギーの有効活用になる。
なお、“とちぎしろ”の実からはジェットエンジン用やジーゼルエンジン用の油を抽出できる。
極限無毒化アサを更に無毒化するには、高温燃焼が有効である。極限無毒化アサに、後記の早生棉を直径1cm長さ2cm程度の円柱形に整形（球状の塊でもよい。塊にしないでボイラ（１）に投入すると熱風で吹き上がり効率的な燃焼ができない恐れがある。）してなる早生棉ペレットを混合させると高温化が図れる。早生棉ペレットがボイラ（１）に投入されると高温になり、膨張して空気との接触面積が広くなる。その結果、綿花や地毛が激しく燃焼する。種子に含有されている油脂も激しく燃える。
遺伝子工学によりTHCを殆ど含まないアサを開発することも考えられる。
ダニ等のいる毒虫生息地や毒草群生地や有毒物質含有地や山奥の空地や廃ゴルフ場は牛用餌の牧草生産には適さないが、燃焼用の牧草であれば問題ない。当該地で生産した牧草を整形した牧草ロールを“とちぎしろ”の代用にすることも考えられる。
【０００６】
ワタは、アオイ科の１年草の総称である（厳密には多年草であるが育ちが悪くなる）。花の咲いた後に実を付ける。実は種子と当該種子の表皮細胞からなる。実を摘み取った状態までのものを棉と呼ぶことにする。
表皮細胞が細長く生長したものが繊維状の綿毛であり、これは綿花と呼ばれることが多く繊維になる。種子の表面には短い地毛が生えている。短い地毛は布にはしない。種子からは上質な食用油が取れる。上手くやれば、棉を燃焼させた灰の中から種子を拾い集めることもできる。燃えにくい固い殻で覆われている種子は燃え残る可能性が高い。
授粉しない花は落花して実は付けないから棉実はできない。
ワタは、発芽後、共生菌に感染することにより窒素を取り込めるようになってから（約１か月）本葉が増えだす。
灌水地に種子を直播してもよいが、苗床にワタの種子を蒔き、発芽してから共生菌を散布し本葉が成長し出してから灌水地に植えると効率が上がる。開花と同時にドローンで人工授粉させる。綿毛を付けたものを機械で刈り取って早生棉とする。早生棉は、地毛付き種子と綿花とからなる。早生棉には草片などの不純物が混ざっていても燃焼には支障がないから、コスト低減の観点から不純物の除去はしなくてもよい。場合によっては、ワタの地上部分全てを燃焼用にしてもよい。
風や蜜蜂（発生が極端に少ない年がある）による授粉は不確実であるからドローンで人工授粉させる。
早生棉ペレットは、上記早生棉を乾燥（天日干し乾燥）させて、円柱形（端面直径数cm、長さ数cm）または球形（直径数cm）に近い塊に成形してなる。場合によっては、牛餌用の牧草ロールの様にした早生棉ロールを発電所に輸送し、発電所で裁断して小さな塊状にする。
【０００７】
手段２は手段１のバイオマス燃料を燃焼させて発電する発電装置であって、バイオマス燃焼ボイラと、発電装置からなる。
バイオマス燃焼ボイラは、上下端閉で円筒形状のボイラ円筒（１）に接続されたる燃料供給装置と酸素富化空気送風装置及び、前記ボイラ円筒（１）内底部に固定されたる灰受皿支持柱（８１）に置かれたる燃料堆積堆装置からなる。
燃料供給装裁断置は、多数基の酸素富化空気装置（６１）と、多数基の送風機１（５１）と、多数本の送風管（５７）と、裁断草木片を投入するための多数基の燃料投入器（５０）と、多数本の散気管（５３）と、多数本の燃料投入管（５４）からなる。
燃料投入器（５０）は逆円錐形の容器であって、内側表面には多数枚の先導板（５６）が固着している。
送風管（５７）の1端は送風機１（５１）に接続され、他端は先細ノズル（５２）に接続され、送風機１（５１）が酸素富化空気装置（６１）から吸引した酸素富化空気を先細ノズル（５２）から燃料投入器（５０）底部に放出する。
散気管（５３）は先太の管であって、上部は燃料投入器（５０）底部に接続され、下部は燃料投入管（５４）に接続され、燃料投入管（５４）出口はボイラ（１）内にある。
酸素富化空気送風装置は、多数基の酸素富化空気装置（６１）と、多数基の送風機２（６２）と、多数本の酸素富化空気管（６３）からなる。
酸素富化空気管（６３）の半数は燃料投入管（５４）のボイラ円筒（１）内出口に向けられ、燃料投入器（５０）から負荷変動に応じて投入されたバイオマス燃料に酸素富化空気を送っている。
酸素富化空気管（６３）の半数は後記灰受皿（７２）の堆積燃料（７３）に酸素富化空気を送っている。
負荷変動は、酸素富化空気の供給量を送風機２（６２）の回転数を調節することによっても対応できる。
ボイラ円筒（１）内壁に沿い上部に開口のある内円筒（２１）と、大気中に伸びて上端に開口部のある外円筒（２３）と、両円筒を連結する連結管（２２）からなる煙道（２）を多数基敷設する。
復水器（３）に接続されたる多数本の給水管（４）は煙道を通って多数本の蒸気管（５）に接続される。
燃料堆積装置は、灰受皿（７２）にバイオマス燃料を堆積燃料（７３）として堆積させてなる。
本手段２は、バイオマス燃料を燃焼させることにより発生した熱で、給水管（４）内を流れる水を蒸気に変換することを特徴とするバイオマス燃焼ボイラである。
酸素富化空気装置（６１）は、多数の中空糸からなる。送風機２（６２）が吸引する空気を多数の中空糸（窒素より酸素を透過し易いポリイミド製の中空糸）に通し、酸素過多空気を送風機２（６２）に吸引し、窒素過多空気は外気中に放出する装置である。
灰受皿（７２）は、セラミックス製またはステンレス製の深皿である。灰受皿（７２）の側面には酸素富化空気が流入する孔があいている。
電力九社がやると世界中から麻薬絡みで攻撃されるから中小規模電力会社または自家発電代行会社が実施するのが望ましい。発電設備は海岸沿いの特区に敷設し、周辺の中小企業に送電する。
【０００８】
手段３は手段１のバイオマス燃料植物の栽培システムであって、
前記バイオマス燃料植物を栽培する灌水地（１０１）及び、前記灌水地（１０１）境界に接した穀物実験圃（１２０）及び、前記灌水地（１０１）周囲に敷設せる車道（１０２）及び、給水装置からなる。
給水装置は、上記車道（１０２）に走行せる給水タンク車（１１１）及び、前記給水タンク車（１１１）に接続せる給水ホース（１１２）及び、前記給水ホース（１１２）先端に接続せる放水銃（１１５）及び、前記放水銃（１１５）を敷設したドローン２（１１４）からなる。給水タンク車（１１１）とドローン２（１１４）の間にドローン1（１１３）を配して給水ホース（１１２）を支持すれば広い空間への放水が可能となる。
灌水地（１０１）地表に灌水地気象測定機器・測定値保存送信機器（１０３）を敷設し、灌水地（１０１）地中に土壌化学的測定機器・測定値保存送信機器（１０４）を敷設する。
穀物実験圃（１２０）は、非透水性上面開函（１２１）の中に灌水地（１０１）の土壌を投入し異種の穀物を栽培してなり、各穀物実験圃（１２０）地中に土壌化学的測定値機器・測定値存送信機器（１０４）を敷設してなる。
当該各穀物実験圃（１２０）の生育状況をモニタし無線送信保存し続けることを特徴とする穀物畑転用を可能とするバイオマス燃料栽培システム。
灌水地は、湛水灌漑せずに農作物を栽培する耕地のことである。水田に対する語である。水が灌漑地にたまらなくても水をやれば「灌水」である。
各穀物実験圃（１２０）から生育中の穀物を適宜サンプル採取し、その化学的測定値や重量や密度を無線送信保存することも大事である。
生育状況をモニタする機器を使ってバイオマス燃料植物を栽培する灌水地（１０１）を監視すれば、THC含有量の多いアサを不正に栽培することを未然に防げる。
灌水地気象測定機器は、気温や湿度や降水量や風速や日射量を測定する。種々の測定値を無線送信し保存する。
土壌化学的測定機器は、管理人と固定機器により灌水地の水分や養分やペーハー値を測定する。地中の温度も測定する。地中の微生物の種類や数も測定する。病原菌やバクテリアや鳥類や昆虫類種類や数も観測する。種々の測定値を無線送信し保存する。
非透水性上面開函（１２１）は、セラミック製、プラスチック製またはコンクリート製または不織布製の函であるが上面は開いている。ステンレスは高価であるから鋳物でもよい。
灌漑施設は初期費用が高いから、給水タンク車とドローンで代用した。初期費用を安くするため、できるだけ天然の降水で水を得る。やむを得ない時に、給水タンク車とドローンで給水する。場合によっては、立ち枯れした時点で燃料として刈り取る。
穀物候補としては、蕎麦、粟、稗、黍、玉蜀黍、芋類、豆類がある。多量の水を必要とするサトウキビは、問題がある。
穀物実験圃では、AI（人工知能）や実験計画法を駆使して水分補給や施肥をし、当該バイオマス燃料植物栽培地で最適な穀物を探し出す。
【発明の効果】
【０００９】
覚せい剤に不適で、生産コストの安いバイオマス燃料供給の目途が立った。
酸素富化空気の利用により、バイオマス燃料を高温で燃焼させることができるため、覚醒作用を消し燃焼効率の良い発電が可能となった。
緊急時穀物供給が可能なバイオマス燃料供給の目途が立った。バイオマス燃料栽培所でのスプリンクラーでの散水は、霧となってしまうものもあるから効率が悪い。その点、放水銃（１１５）からの放水は、液体の水として給水される。植物の栽培では、草木が根から液体の水を吸収することにより成長する。人間においても、湿度９０％以上の熱帯雨林でも液体の水を飲まないと死ぬ。
放水銃（１１５）から殺虫剤や、肥料や、花粉や、窒素吸収に係わる共生菌の散布も可能である。万一、THC含有量の多いアサが大量に見つかるような場合は、給水装置は液体プロパンガスによるバーナとしても使える。大量の害獣や害虫に対しても対応できる。ドローによる銃撃、鉄粒散布が可能である。
【発明を実施するための最良の形態】
【００１０】
健康を著しく損なわないバイオマス燃料によるバイオマス燃焼ボイラを提供出来た。
【実施例１】
【００１１】
図２は、“とちぎしろ”が開花する前の早生に刈り取って天日干しした極限無毒化アサと早生棉ペレットの概観図である。
上段の図は“とちぎしろ”が開花する前の状態である。開花する前の“とちぎしろ”はトラクタの後部に付けた「ディスクモア」と呼ばれる草刈り機で刈り倒す。そのまま地面において乾燥させる。何度かかき混ぜれば乾燥は促進する。乾燥後は、トラクタの後部に付けた「レーキ」と呼ばれる熊手のような機械で乾燥した“とちぎしろ”を1列に集める。トラクタの後部に付けた「ロールベーラー」が乾燥した“とちぎしろ”をタンクに集め、ロール状の塊であるアサロール（2段目の図）にする。「ディスクモア」と呼ばれる草刈り機で刈り倒すと同時に裁断すれば乾燥を促進させられる。
日本では真岡木綿が育てやすい。「棉の花」はハイビスカスに似ていて1日で萎み、「棉の実」になる。「棉の実」が成長してはじけ、「はじけた実」は白い花のように見える。「はじけた実」には、長い繊維状の部分と「棉の種子」からなる。「棉の種子」の表面には短い地毛が密着している。「「はじけた実」を「棉の種子」諸共に稲刈り機で収穫する（最近の稲刈り機は籾と稲藁を分離し稲藁をロールにしてしまう。稲穂付き全部をロールにすることも可能である）。「はじけた実」を円柱形状の円柱形ペレットに整形するか、塊状の塊状ペレットに整形する。小枝が含まれていてもかまわない。強く圧縮はしない。ペレットの中に空気が含まれていた方が燃焼し易い。場合によっては、茎や葉も一緒に稲刈り機で収穫し、粉砕する。なお、上記のように、開花する前の“とちぎしろ”で述べたと同じような方法で収集してもよい。
バイオマス発電所に搬送されたアサロールは、適当な大きさに切り揃えるか粉砕する。バイオマス発電所に搬送された円柱形ペレット（または塊状ペレット）はその形状を保ったまま使用される。
【実施例２】
【００１２】
図３はバイオマス燃料を燃焼させて発電する発電装置の概観図である。
ボイラ円筒（１）は、上下端閉で円筒形状をしている。ステンレスや耐火レンガを円筒形状にしてなる。
バイオマス燃焼ボイラは、上下端閉で円筒形状のボイラ円筒（１）に接続されたる燃料供給装置と酸素富化空気送風装置及び、前記ボイラ円筒（１）内底部に固定されたる灰受皿支持柱（８１）に置かれたる燃料堆積堆装置からなる。
燃料供給装置は、多数基の酸素富化空気装置（６１）と、多数基の送風機１（５１）と、多数本の送風管（５７）と、裁断草木片を投入するための多数基の燃料投入器（５０）と、多数本の散気管（５３）と、多数本の燃料投入管（５４）からなる。
燃料投入器（５０）は逆円錐形の容器であって、内側表面には多数枚の先導板（５６）が固着してなる。先導板（５６）によりバイオマス燃料を滑らかに燃料投入器（５０）底に導く。
送風管（５７）の1端は送風機１（５１）に接続され、他端は先細ノズル（５２）に接続され、送風機１（５１）が酸素富化空気装置（６１）から吸引した酸素富化空気を先細ノズル（５２）から燃料投入器（５０）底部に放出する。燃料投入器（５０）底部で空気とバイオマス燃料が混ざる。
散気管（５３）は先太の管であって、上部は燃料投入器（５０）底部に接続され、下部は燃料投入管（５４）に接続され、燃料投入管（５４）出口はボイラ（１）内にある。燃料投入管（５４）は投入管操作機（５５）によって方向を調整することが出来る。燃料が適切に配送できる。
酸素富化空気は圧力が高くなり、バイオマス燃料が燃料投入器（５０）底部から散気管（５３）に吸引され空気と共にボイラ（１）内に投入される。ボイラ（１）内に投入されたバイオマス燃料は、後記ボイラ円筒（１）側出口に向けられた酸素富化空気管（６３）からの酸素富化空気によってボイラ（１）内を落下しながら激しく燃焼する。燃焼しきれなかったバイオマス燃料は、後記灰受皿（７２）に落下する。色々な形状をしたバイオマス燃料の混合物は、回転翼のある空間を通るには摩擦が大きすぎるから、バイオマス燃料と回転翼との接触がないようにした。
酸素富化空気送風装置は、多数基の酸素富化空気装置（６１）と、多数基の送風機２（６２）と、多数本の酸素富化空気管（６３）からなる。エアフォイルファンは効率の良い送風機２（６２）である。
酸素富化空気管（６３）の半数は燃料投入管（５４）のボイラ円筒（１）側出口に向けられ、燃料投入器（５０）から負荷変動に応じて投入されたバイオマス燃料に酸素富化空気を送るためにある。
酸素富化空気管（６３）の半数は後記灰受皿（７２）の堆積燃料（７３）に酸素富化空気を送るためにある。
発電装置は、蒸気タービン（６）と、復水器（３）と、発電機（７）からなる。
ボイラ円筒（１）内壁に沿い上部に開口のある内円筒（２１）と、大気中に伸びて上端に開口部のある外円筒（２３）と、両円筒を連結する連結管（２２）からなる煙道（２）を多数基敷設してなる。煙道（２）の要所要所に煤溜めを敷設する。
復水器（３）に接続されたる多数本の給水管（４）は煙道（２）を通って多数本の蒸気管（５）に接続されている。
蒸気管（５）は、ボイラ円筒（１）内上部から蒸気タービン（６）に接続されている。
燃料堆積装置は、灰受皿（７２）にバイオマス燃料を堆積燃料（７３）として堆積させてなる。
バイオマス燃料を燃焼させることにより発生した熱で、給水管（４）内を流れる水を蒸気に変換し、蒸気タービン（６）を回転させて発電機（７）を回転させることにより電気を発生させる。
送風機１（５１）の吸引側に酸素富化空気装置（６１）を付けるとバイオマス燃料は酸素が富んだ空気と混合されるため、燃焼し易くなる。
外円筒（２３）を通る給水管（４）は煙の熱で昇温される。内円筒（２１）を通る給水管（４）は、ボイラ円筒（１）内の輻射熱で熱せられるから高温になる。したがって、当該部の給水は二相流になっている。内円筒（２１）は、ボイラ円筒（１）壁や給水管（４）が極度に高温になるのを緩和する。
蒸気管（５）を通る二相流は、ボイラ円筒（１）内の輻射熱で熱せられ蒸気割合が増加する。
バイオマス燃料は、灰受皿（７２）に吹いてくる酸素富化空気によって激しく燃焼する。灰受皿（７２）にバイオマス燃料がなくなりそうになると、上記燃料投入器（５０）に多量のバイオマス燃料が投入される。或は、新規の燃料堆積した灰受皿（７２）と交換する。取り出された灰受皿（７２）は、余熱により次に堆積するバイオマス燃料を暖める。
堆積燃料（７３）を堆積した灰受皿（７２）は、灰受皿入扉（７３）からボイラ円筒（１）内に入る。バイオマス燃料の灰の入った灰受皿（７２）は、灰受皿出扉（７４）からボイラ円筒（１）外に出る。
灰受皿（７２）は、セラミックス製またはステンレス製の深皿である。灰受皿（７２）の側面には酸素富化空気が流入する孔があいている。
灰受皿（７２）は、灰受皿支持柱（８１）により支持されている。
【実施例３】
【００１３】
図4は、本発明の穀物畑転用を可能とするバイオマス燃料栽培システムの概観図である。
当該システムは、バイオマス燃料植物を栽培する灌水地（１０１）及び、前記灌水地（１０１）境界に接した穀物実験圃（１２０）及び、前記灌水地（１０１）周囲に敷設せる車道（１０２）及び、給水装置からなる。
給水装置は、上記車道（１０２）に走行せる給水タンク車（１１１）及び、前記給水タンク車（１１１）に接続せる給水ホース（１１２）及び、前記給水ホース（１１２）先端に接続せる放水銃（１１５）及び、前記放水銃（１１５）を敷設したドローン２（１１４）からなる。ドローン１（１１３）で給水ホース（１１２）の途中を支持する。
灌水地（１０１）地表に灌水地気象測定機器・測定値保存送信機器（１０３）を敷設し、灌水地（１０１）地中に土壌化学的測定機器・測定値保存送信機器（１０４）を敷設してなる。
穀物実験圃（１２０）は、非透水性上面開函（１２１）の中に灌水地（１０１）の土壌を投入し異種の穀物を栽培する。各穀物実験圃（１２０）地中に土壌化学的測定値機器・測定値存送信機器（１０４）を敷設してなる。
当該各穀物実験圃（１２０）の生育状況をモニタし無線送信し、画像を保存し続ける。
穀物実験圃（１２０）で収穫した穀物は食用にするが、残りの茎や葉はバイオマス燃料とする。
【産業上の利用可能性】
【００１４】
福島事故で、津波は予見できたとの判決があった以上、津波学者は津波想定を過大に見積ってくる。企業家はコスト削減とリスク低減を本能的に実施するから、内部留保はしても巨大な建造物建設計画はしない。投資は海外で行う。日本でのエネルギー投資は再生可能エネルギー関連にならざるを得ない。電力自由化で電力料金の値上げが可能になり、環境重視ならマスコミも騒がないとなれば高価な再生可能エネルギーによる発電でも採算がとれる。20年もすれば過疎地集落は自然消滅（日本の古い習慣に姥捨て山があった）し、国産食料も余剰になり、タダ同然または所有者不明の土地が大量に出てくるからバイオマス燃料栽培に有利になる。
種子法廃止により、バイオマス発電が脚光を浴びだした。外国からの参入も出てきた。遺伝子操作バイオマス燃料を栽培して、次に遺伝子操作作物を発電所で燃焼駆除するという名目で補助金が得られればバイオマス発電のコストは下がる。
大麻は麻薬として禁止されているが、タバコ程には健康に悪くはないし、常習性もタバコ程ではないという説がある。それなら、大麻喫煙をタバコと同等とすればよい。大麻税（将来の事故、犯罪、医療への保険料）が入るし、反社会的勢力の資金源を削減できる。仮に、大麻喫煙で自動車事故を起こすようなら酒気帯び運転程度に取り締まり、罰金を科せばよい。ちなみに、野放しになっているチョウセンアサガオやセルビアは強烈に気分が悪くなる幻覚作用をもたらすとされている。オウム真理教の洗脳に使われたらしい。
じり貧状態にあるタバコ生産農家の助けとなる。
穀物生産農閑期に大麻や棉が生産できるなら、儲かる農業になる。儲からないから若い人が寄り付かなく後継者難だった農家にも後継者が集まるようになる。
地球温暖化が起きても（地球温暖化は珍しいことではない。昭和22.8.2東京で36℃だったりした）、日本列島は大麻や棉の生産に適した気候になり、国産エネルギー自給率の向上になる。
国産エネルギーとしての大麻や棉の生産には、農地ではなく使い道がない工業団地でも栽培できるから、産業省が農水省と共管で携わるべきであろう。AIやIOTを駆使することになろう。
東南アジアの国々でも芥子栽培の代わりに生産してもらえる可能性がある。
エネルギーのほぼ全量を化石燃料輸入に頼る日本において、純国産エネルギーであるアサやワタを利用した電力が得られるなら、化石燃料価格に法外な値段を要求される事態を牽制できる。
穀物に補助金を付けたり、輸入関税を高くすることは、穀物輸出国からクレームが付いたり、日本からの輸出品に対して報復関税が課せられたりする。結局、農作物輸入を強要されて穀物農場が破壊される。その後、時期を見計らっての人為的価格高騰や、突然の食料危機が発生しても、アサ灌漑地やワタ灌漑地があれば、当該灌漑地に蕎麦やトウモロコシを植えれば、遅くとも翌年には収穫が期待できる。
メタンハイドレートに期待過ぎると環境問題に絡めたメタンガス排出規制に引っ掛けられるかもしれない。資源の乏しい日本は、水力、太陽光、風力、地熱、マグマ、潮力発電、ゴミ発電、泥炭、木片チップ、シロアリ、牛胃腸といった、考えられる限りのエネルギーそれぞれに対して5%を目標にした保険的開発が重要である。
安全は科学者（技術者含む）達が判断検討する。判断基準は科学者それぞれで異なる。安全には安全レベル最低１〜最高１０以上のように程度がある。したがって、例えば８０％の科学者が安全レベル６だと判断すれば“安全であることにする”といった割り切りや切り捨てがなければ安全は成り立たない。球技は球審（球技の専門家？）によって進行するがそれでも決着が付かないこともある。写真判定になることあるように、安全判断も一筋縄ではいかない。想定し得る最強のガンマ線バーストに対してのいかなるシェルタも安全レベルはゼロに近い。過去にあった最大小惑星衝突に対するあらゆるものの安全レベルはゼロである。台風や強盗から安全レベル１０以上にしようとして個人の家を建築しようとしても工学的・金銭的に困難であろう（家のCMで長嶋さんが“安全な家を作ったら洗濯物が乾き難い家になりました”）。安全カミソリでも血が出る。安全包丁でも人は死ぬ。
安心は、科学者が割り切りや切り捨てで安全だとしたことを参考として、政治家が費用（多くの人から徴収した税金）対効果（どのような人達がどの程度安心だと感じるかとか、当該政治家・党への投票数）を勘案して割り切りや切り捨をして、安心であることを８０％の有権者に納得させ、身寄りのない子供達には納得してもらえる筈だということを別途６０％の有権者に納得させる。不安レベルにはレベル１から総人口まである。不安を感じる人が1人でもいたら政策を実施しないとなったら全国民の損失・不満がでる。落語の饅頭怖いでは、天を仰いで空が落ちはしないかと心配する与太郎や蛇が怖い・・・、悪知恵を働かし饅頭怖という者まで様々である。通常の環境でも金属音、高所、蛇・・といった怖い・不安・心配は様々である。金属音に対して死ぬ程不快でそんな音を発する者は殺してしまいたいと思う人は実在する。
ただ、大抵の町村民は、大方の事物には無頓着・無関心である。マスコミはそんな大抵の町村民があたかも怖い・不安・心配しているかのようにして販売紙数を伸ばす。マスコミである自分は正しいから社会正義の観点から事案を糾弾するのだと、心の底から思い込む者もいる。
トライアンドエラーによる技術開発が許されなくなりつつある日本では、結局、エネルギーのような重要案件に対しては、色々な技術で５％〜２０％ずつ供給するしかない。
原発は、被爆県である長崎・広島のある西日本（韓国・台湾の原発にも近い）で再稼働し、東日本ではゼロに近い（原子力発電で動く原子力空母は横須賀に停泊していることがある。小泉元首相が原子力空母入港反対運動をしているのを聞いたことがない）。
現政権がこれだけ福祉に手厚いと、革新政党が次に政権を取れたとしても今まで以上の福祉政策はとり難い。福祉の元となる増税は望めないし、防衛費を削ることも難しい。全国の町村議会選挙でもあらゆる候補者が子育てと福祉の充実と産業の呼び込みを公約として掲げてはいるが、解決の手段や財源（国債を刷りまくれという人はいる）を示してはいない。このように危うい日本では、健全な中小企業であれば“物・人・金”を海外に移すのは必然であろう。海外現地でも環境問題は重要課題であるから、本発明のような環境に優しい単純な技術は海外でも採用できるであろう。“物・人・金”のなくなった日本では排出ガスは激減しクリーンな社会になっている。戦争はやりたくてもできない。今までマスコミが提唱していた“心を通わせた、寄り添った”理想的な金の掛からない福祉が実現する。
本発明は農業よりも工業に近いから、しかるべき監督官庁の指導が必須ではある。
ブータンを見習って国民の多くを幸せにするために1部企業の犠牲を厭わない国になるとも限らないから、企業としては物人金の2/3を海外に、1/3を国内にとするのが普通になる。結果的に日本国民の2/3は海外で生存し続けられる。本発明があれば海外でも嫌われない。
【図面の簡単な説明】
【００１５】
【図１】バイオマス発電の概観図。
【図２】本発明の“とちぎしろ”が開花する前の早生に刈り取って天日干しした極限無毒化アサと早生棉ペレットの概観図。
【図３】本発明のバイオマス燃料を燃焼させて発電する発電装置の概観図。
【図４】本発明の穀物畑転用を可能とするバイオマス燃料栽培システムの概観図。
【符号の説明】
【００１６】
１はボイラ円筒。
２は煙道。
３は復水器。
４は給水管。
５は蒸気管。
６は蒸気タービン。
７は発電機。
１１はブレードファン。
１２は石炭粉砕機。
１３は燃料・空気管。
２１は二次空気送風機。
５０は燃料投入器。
５１は送風機１。
５２は先細ノズル。
５３は散気管。
５４は燃料投入管。
５５は投入管操作機。
５６は先導板。
５７は送風管。
６１は酸素富化空気装置。
６２は送風機２．
６３は酸素富化空気管。
７１は灰受皿入扉。
７２は灰受皿。
７３は堆積燃料。
７４は灰受皿出扉。
８１は灰受皿支持柱。
１０１は灌水地。
１０２は車道。
１０３は灌水地気象測定機器・測定値保存送信機器。
１０４は土壌化学的測定機器・測定値保存送信機器。
１１１は給水タンク車。
１１２は給水ホース。
１１３はドローン１。
１１４はドローン２。
１１５は放水銃。
１２０は穀物実験圃。
１２１は非透水性函。
【図１】
2019001852.tif 000003
【図２】
2019001852.tif 000004
【図３】
2019001852.tif 000005
【図４】
2019001852.tif 000006